【手続補正書】
【提出日】平成28年11月28日(2016.11.28)
【手続補正１】
【補正対象書類名】明細書
【補正対象項目名】００２８
【補正方法】変更
【補正の内容】
【００２８】
また、例えば、開示し明示した実施形態のさまざまな特徴を省略または組み合せることができる。
なお、本発明は、実施の態様として以下の内容を含む。
［態様１］
第１のサイドフレーム部を有するアイウェアフレームと、
前記アイウェアフレームに装着され、画像を生成するためのマイクロディスプレイを有するディスプレイモジュールであって、ユーザの目へ視認可能な画像を方向づけるように画像出力ウインドウを位置づけた細長部を有する、ディスプレイモジュールと、
を備えた、ウェアラブル電子ディスプレイ。
［態様２］
態様１に記載のウェアラブル電子ディスプレイにおいて、
前記アイウェアフレームは、第２のサイドフレーム部と、前記第１のサイドフレーム部と前記第２のサイドフレーム部との間に接続されたフロントフレーム部とを有し、前記フロントフレーム部は、目の上フレーム部材および目の下フレーム部材のうちの少なくとも１つを有する、
ウェアラブル電子ディスプレイ。
［態様３］
態様１に記載のウェアラブル電子ディスプレイにおいて、
前記アイウェアフレームは、前記第１のサイドフレーム部に接続されたフロントフレーム部を有し、前記フロントフレーム部は、目の上フレーム部材および目の下フレーム部材のうちの少なくとも１つを有し、前記ディスプレイモジュールの前記細長部は、前記目の上フレーム部材および目の下フレーム部材のうちの一方と同じ高さに略沿って横方向に延び、前記画像出力ウインドウは、視認のために上向き方向および下向き方向のうちの一方に傾けられる、
ウェアラブル電子ディスプレイ。
［態様４］
態様１に記載のウェアラブル電子ディスプレイにおいて、
前記アイウェアフレームは、眼鏡の構成を有し、フロントフレーム部が、それぞれ２つのアイウェアリムの上方部および下方部である目の上フレーム部材および目の下フレーム部材を有し、前記ディスプレイモジュールの前記細長部は、前記アイウェアリムに略匹敵する幅および／または厚さを有し、前記画像出力ウインドウを１つのアイウェアリムの中央または中央付近に位置づけた状態で、前記アイウェアリムの前記目の上フレーム部材および目の下フレーム部材のうちの一方と同じ高さに略沿って横方向に延びる、
ウェアラブル電子ディスプレイ。
［態様５］
態様１に記載のウェアラブル電子ディスプレイにおいて、
前記アイウェアフレームは、前記第１のサイドフレーム部に接続されたフロントフレーム部を有し、前記ディスプレイモジュールは、少なくとも一部が前記第１のサイドフレーム部と前記フロントフレーム部との間の隅部分に位置する角状部を有する、
ウェアラブル電子ディスプレイ。
［態様６］
態様２に記載のウェアラブル電子ディスプレイにおいて、
前記アイウェアフレームは中央ブリッジを有し、前記中央ブリッジは、瞳孔間距離調節を提供するための調節可能な幅、および前記フロントフレーム部の高さを前記中央ブリッジに対して調節するための調節可能な高さのうちの少なくとも１つを有する、
ウェアラブル電子ディスプレイ。
［態様７］
態様６に記載のウェアラブル電子ディスプレイにおいて、
前記中央ブリッジは少なくとも１つのスライダ機構を含む、
ウェアラブル電子ディスプレイ。
［態様８］
態様２に記載のウェアラブル電子ディスプレイにおいて、
光軸角度調節のために前記前記第１のサイドフレーム部と前記第２のサイドフレーム部とに対して前記フロントフレーム部を傾けられるように、前記フロントフレーム部は、水平方向軸を中心に回動可能に、前記第１のサイドフレーム部と前記第２のサイドフレーム部とにピボットによって連結されている、
ウェアラブル電子ディスプレイ。
［態様９］
態様２に記載のウェアラブル電子ディスプレイにおいて、
両眼視認を提供するために、前記アイウェアフレームに装着された第２のディスプレイモジュールを更に備える、
ウェアラブル電子ディスプレイ。
［態様１０］
眼鏡の構成を有し、上方部および下方部を備えた２つのアイウェアリムを含むフロントフレーム部を有する、アイウェアフレームであって、前記フロントフレーム部は、第１のサイドフレーム部材と第２のサイドフレーム部材との間に接続されている、アイウェアフレームと、
前記アイウェアフレームに装着され、画像を生成するためのマイクロディスプレイを有するディスプレイモジュールであって、前記ディスプレイモジュールは、少なくとも一部が前記第１のサイドフレーム部と前記フロントフレーム部との間の隅部分に位置する角状部と、ユーザの目へ視認可能な画像を方向づけるように画像出力ウインドウを位置づけた細長部とを有し、前記ディスプレイモジュールの前記細長部は、一方のアイウェアリムの前記上方部と同じ高さに略沿って横方向に延び、かつ前記一方のアイウェアリムに略匹敵する厚さを有し、前記画像出力ウインドウは、前記一方のアイウェアリムの中央または中央付近に位置し、視認のために下向き方向に傾けられる、
ウェアラブル電子ディスプレイ。
［態様１１］
画像を視認する方法であって、
ウェアラブル電子ディスプレイを装着する工程であって、前記ウェアラブル電子ディスプレイは、ユーザにより装着される第１のサイドフレーム部を含むアイウェアフレームと、前記アイウェアフレームに装着され、画像を生成するためのマイクロディスプレイを含むディスプレイモジュールと、を有する、工程と、
前記ディスプレイモジュールの細長部に位置づけられた画像出力ウインドウから前記ユーザの目へ視認可能な画像を方向づける工程と、
を含む、方法。
［態様１２］
態様１１に記載の方法において、
第２のサイドフレーム部と、前記第１のサイドフレーム部と前記第２のサイドフレーム部との間に接続されたフロントフレーム部であって、目の上フレーム部材および目の下フレーム部材のうちの少なくとも１つを有するフロントフレーム部とを、前記アイウェアフレームに設ける工程を更に含む、方法。
［態様１３］
態様１１に記載の方法において、
前記第１のサイドフレーム部に接続されたフロントフレーム部であって、目の上フレーム部材および目の下フレーム部材のうちの少なくとも１つを有するフロントフレーム部を、前記アイウェアフレームに設ける工程と、
前記ディスプレイモジュールの前記細長部を、前記目の上フレーム部材および目の下フレーム部材のうちの一方と同じ高さに略沿って横方向に延在させる工程と、
前記ユーザの前記目による視認のために、上向き方向または下向き方向のうちの一方に前記画像出力ウインドウを傾ける工程と、
を更に含む、方法。
［態様１４］
態様１１に記載の方法において、
前記アイウェアフレームに、眼鏡の構成を設け、それぞれ２つのアイウェアリムの上方部および下方部である目の上フレーム部材および目の下フレーム部材を有するフロントフレーム部を設ける工程と、
前記ディスプレイモジュールの前記細長部に、前記アイウェアリムに略匹敵する幅および／または厚さを準備し、前記画像出力ウインドウを１つのアイウェアリムの中央または中央付近に位置づけた状態で、前記ディスプレイモジュールの前記細長部を、前記アイウェアリムの前記目の上フレーム部材および目の下フレーム部材のうちの一方と同じ高さに略沿って横方向に延在させる工程と、
を更に含む、方法。
［態様１５］
態様１１に記載の方法において、
前記第１のサイドフレーム部に接続されたフロントフレーム部を前記アイウェアフレームに設け、角状部を前記ディスプレイモジュールに設ける工程と、
前記角状部の少なくとも一部を、前記第１のサイドフレーム部と前記フロントフレーム部との間の隅部分に位置づける工程と、
を更に含む、方法。
［態様１６］
態様１２に記載の方法において、
前記アイウェアフレームに中央ブリッジを設ける工程を更に含み、
前記中央ブリッジは、瞳孔間距離調節を提供するための調節可能な幅、および前記フロントフレーム部の高さを前記中央ブリッジに対して調節するための調節可能な高さのうちの少なくとも１つを有する、
方法。
［態様１７］
態様１６に記載の方法において、
前記中央ブリッジに少なくとも１つのスライダ機構を設ける工程を更に含む、
方法。
［態様１８］
態様１２に記載の方法において、
光軸角度調節のために前記前記第１のサイドフレーム部と前記第２のサイドフレーム部とに対して前記フロントフレーム部を傾けられるように、前記フロントフレーム部を、水平方向軸を中心に回動可能に、前記第１のサイドフレーム部と前記第２のサイドフレーム部とにピボットによって連結する工程を、
更に含む方法。
［態様１９］
態様１２に記載の方法において、
両眼視認を提供するために、前記アイウェアフレームに装着された第２のディスプレイモジュールを設ける工程を更に含む、
方法。
［態様２０］
画像を視認する方法であって、
ウェアラブル電子ディスプレイを装着する工程であって、前記ウェアラブル電子ディスプレイは、
眼鏡の構成を有し、上方部および下方部を備えた２つのアイウェアリムを含むフロントフレーム部を有する、アイウェアフレームであって、前記フロントフレーム部は、第１のサイドフレーム部材と第２のサイドフレーム部材との間に接続されユーザにより装着される、アイウェアフレームと、
前記アイウェアフレームに装着され、画像を生成するためのマイクロディスプレイを有するディスプレイモジュールであって、前記ディスプレイモジュールは、少なくとも一部が前記第１のサイドフレーム部と前記フロントフレーム部との間の隅部分に位置する角状部とを有する、工程と、
前記ディスプレイモジュールの細長部に位置づけられた画像出力ウインドウから前記ユーザの目へ視認可能な画像を方向づける工程であって、前記細長部は、一方のアイウェアリムの前記上方部と同じ高さに略沿って横方向に延び、かつ前記アイウェアリムに略匹敵する厚さを有し、前記画像出力ウインドウは、前記アイウェアリムの中央または中央付近に位置し、視認のために下向き方向に傾けられる、工程と、
を含む、方法。